(57)【特許請求の範囲】
【請求項１】
支柱の上下方向に穿設された係止孔に、係止爪を係止することで、棚等を支持するためのブラケットを取付けるようにしたブラケットの取付構造であって、
前記ブラケットの取付構造は、
複数の係止爪が下向きに形成されたブラケットと、
前記各係止爪を支柱の係止孔に係止した状態で形成される最上部の係止孔の上部空隙に嵌入される差込片と、該差込片から屈曲して支柱の前面と後面側が当接する基片と、該基片の遊端から後方へ屈曲し、支柱の側面と内側面側が当接する屈曲片とを備えた抜け止め部材と、
からなることを特徴とするブラケットの取付構造。
【請求項２】
前記抜け止め部材を支柱に取付けた後に、ブラケットに棚等を取付け、該棚等の後面を抜け止め部材における基片の前面側と当接させて取付けられる請求項１に記載のブラケットの取付構造。
【請求項３】
前記差込片が上下に２片設けられ、下方の差込片が前記空隙に差し込まれるとともに、上方の差込片が前記空隙より上方の係止孔に差し込まれるようにして取付けられる請求項１または２に記載のブラケットの取付構造。
【発明の詳細な説明】
【０００１】
【発明の属する技術分野】
本発明は、支柱に、棚等を支持するためのブラケットの取付構造に関する。
【０００２】
【従来の技術】
従来から、図７に示すように、支柱０１に、上下方向に連続する係止孔０２を穿設し、棚等を取付けるためのブラケット０３の後端に複数設けた下向きの係止爪０４を係合させることで、ブラケット０３を支柱０１に取付けるようにした取付構造が知られている。
【０００３】
この構造では、ブラケット０３を上方に持ち上げるだけで、支柱０１から容易に抜けてしまうため、図８（ａ）に示すように、最上部の係止爪０５を上向きとし、ブラケットを傾斜させて、係止爪０５を係止孔０２に差し込み、ブラケット０３を水平に戻しながら、２段目以下の係止爪０４を係止孔０２に差し込んで、ブラケット０３全体を落とし込むことで、支柱０１からブラケット０３が容易に抜けないようにした構造がある。
【０００４】
また、図８（ｂ）に示すように、係止孔０２を若干幅広に成形するとともに、ブラケット０３を、側面に切り起こし部０６が形成されるように加工し、支柱０１にブラケット０３を取付けた後、略Ｌ字型の抜け止め部材０７を、切り起こし部０６に挿通するとともに、係止孔０２に差し込むことで、支柱０１からブラケット０３が容易に抜けないようにした構造もある。
【０００５】
【発明が解決しようとする課題】
しかしながら、前者においては、ブラケット０３に棚等を取付けた状態では、支柱０１からブラケット０３が容易に抜けることがないが、上方に持ち上げると、ブラケット０３が上方にずれてしまい、上下にがたつくという問題がある。
【０００６】
また、後者においては、ブラケット０３が抜けることも、上方にずれることもないが、ブラケット０３に特殊な加工を施す必要があり、製造コストが高くなるという問題がある。
【０００７】
本発明は、このような問題点に着目してなされたもので、低コストにて、ブラケットが容易に支柱から抜けることがなく、かつ、上下にがたつくことがないブラケットの取付構造を提供することを目的とする。
【０００８】
【課題を解決するための手段】
上記課題を解決するために、本発明のブラケットの取付構造は、支柱の上下方向に穿設された係止孔に、係止爪を係止することで、棚等を支持するためのブラケットを取付けるようにしたブラケットの取付構造であって、
前記ブラケットの取付構造は、
複数の係止爪が下向きに形成されたブラケットと、
前記各係止爪を支柱の係止孔に係止した状態で形成される最上部の係止孔の上部空隙に嵌入される差込片と、該差込片から屈曲して支柱の前面と後面側が当接する基片と、該基片の遊端から後方へ屈曲し、支柱の側面と内側面側が当接する屈曲片とを備えた抜け止め部材と、
からなることを特徴としている。
この特徴によれば、ブラケットを支柱に取付けた後に、係止孔の上部空隙に抜け止め部材の差込片を嵌入することで、ブラケットの上下移動が規制できるため、ブラケットに特殊な加工を施すことなしに、ブラケットの支柱からの抜け落ちを防止でき、また、前記空隙に嵌入された差込片と、支柱の側面に内側面を当接した屈曲片とにより、支柱の一部が狭持され、抜け止め部材が支柱に対して不動に固定されるため、ブラケットと抜け止め部材と支柱とが一体化する。
【０００９】
本発明のブラケットの取付構造は、前記抜け止め部材を支柱に取付けた後に、ブラケットに棚等を取付け、該棚等の後面を抜け止め部材における基片の前面側と当接させて取付けられることが好ましい。
このようにすれば、棚等の後面が抜け止め部材の基片の前面側に当接しているので、抜け止め部材が支柱から外れたり、前後にがたつくことがない。
【００１０】
本発明のブラケットの取付構造は、前記差込片が上下に２片設けられ、下方の差込片が前記空隙に差し込まれるとともに、上方の差込片が前記空隙より上方の係止孔に差し込まれるようにして取付けられることが好ましい。
このようにすれば、支柱における２つの係止孔の間が上下の差込片により狭持されるので、抜け止め部材が支柱から容易に外れることがない。
【００１１】
【発明の実施の形態】
以下、本発明の実施例を図面に基づいて説明すると、図１は、本実施例におけるブラケット１の取付構造を適用した作業テーブル２の外観図であり、図２はブラケット１の取付け箇所の分解図、図３はブラケット１を支柱に取付けた時の横断面図、図４は同様の縦断面図をそれぞれ示す。
【００１２】
図１に示すように、この作業テーブル２は、横杆５を介して取付けられた１対の支柱４と、この支柱４を支持する脚６ａ、６ｂと、支柱４に対してブラケット１を介して取付けられる天板７とから構成されている。
【００１３】
図２、３に示すように、支柱４は、スチール材等を折曲げ成形することにより中空状に形成されており、その前面１５ｄには、複数の係止孔８が上下方向に等間隔に穿設されている。
【００１４】
ブラケット１は、取付片１ａと垂直片１ｂとから構成されており、取付片１ａには、天板７を固定するためのねじ孔１ｃが所定箇所に穿設されている。垂直片１ｂの後端部には、係止孔８に係合可能な下向きの係止爪９が、上下方向に複数設けられている。
【００１５】
図４に示されるように、天板７におけるねじ孔１ｃの対応する箇所には、ねじ孔７ａが穿設されており、天板７が、固定ねじ１４を介してブラケット１の取付片１ａ上に固定されるようになっている。
【００１６】
図２中において１０は、ブラケット１の抜け止め部材であり、この抜け止め部材１０は、後面１５ｃが支柱４の前面１５ｄに当接する基片１０ｂと、この基片１０ｂの左右端よりそれぞれ屈曲成形される差込片１０ａと、屈曲片１０ｃとからなる。
【００１７】
差込片１０ａは、係止孔８内に抜き差し可能な肉厚に形成されるとともに、後述する空隙Ｓ内に嵌入可能な上下幅に形成されている。また、屈曲片１０ｃは、差込片１０ａの空隙Ｓ内への嵌入時において、支柱４の外側面１５ｂに当接するようになっている。
【００１８】
次に、図２から図４に基づいて、支柱４と、ブラケット１と、抜け止め部材１０との取付け方法について説明する。
【００１９】
まず、ブラケット１を所望の高さ位置に合わせ、係止爪９を係止孔８に挿通した後、ブラケット１本体を下方に落とし込むことで、垂直片１ｂの後端面１５ｇが支柱４の前面１５ｄに当接するとともに、各係止爪９が各係止孔８に係止され、ブラケット１が支柱４に支持される。
【００２０】
次に、最上部の係止爪９ａが係止された係止孔８ａの上部に形成される空隙Ｓに、抜け止め部材１０の差込片１０ａを嵌入するとともに、基片１０ｂの後面１５ｃが支柱４の前面１５ｄに当接するまで押圧する。
【００２１】
ここで、図３に示されるように、屈曲片１０ｃと支柱４の外側面１５ｂとの当接によって、抜け止め部材１０の左右の移動が規制され、その状態で保持される。
【００２２】
このように抜け止め部材１０が取付けられることにより、ブラケット１の上下移動が規制されるので、ブラケット１に特殊な加工を施すことなしに、ブラケット１の支柱４からの逸脱を防止できる。
【００２３】
また、上述のように、屈曲片１０ｃの内側面１５ａが支柱４の外側面１５ｂに当接することで、支柱４の一部が、空隙Ｓに嵌入された差込片１０ａと屈曲片１０ｃとにより狭持され、抜け止め部材１０が支柱４に対して不動に固定されるため、ブラケット１と抜け止め部材１０と支柱４とが一体化され、ぐらつきが抑制される。
【００２４】
最後に、ブラケット１の取付片１ａの上に、後面１５ｆが基片１０ｂの前面１５ｅに当接するように、天板７を載置し、取付片１ａの下方から固定ねじ１４を、取付片１ａのねじ孔１ｃを介してねじ孔７ａに螺入し、ブラケット１と天板７とを固定する。
【００２５】
このように天板７が取付けられると、基片１０ｂが支柱４の前面１５ｄと天板７の後面１５ｆとに挟み込まれ、抜け止め部材１０の前後方向の移動が規制されるので、支柱４からの逸脱や、前後方向のがたつきが抑制される。
【００２６】
次に、本発明における抜け止め部材１０の変形例を、図５及び図６に基づいて説明する。
【００２７】
図５、６における抜け止め部材１２は、後面１６ｃが支柱４の前面１５ｄに当接する基片１２ｂと、この基片１２ｂ左右端より屈曲成形される差込片１２ａと、屈曲片１２ｃとからなる。
【００２８】
さらに、差込片１２ａの上方には、空隙Ｓよりも上方の係止孔８ｂに嵌入可能で、かつ、抜け止め部材１２を支柱４に取付けた際に、下面が係止孔８ｂの下部に当接する差込片１２ｄが、基片１２ｂの一端から屈曲成形されている。
【００２９】
これにより、抜け止め部材１２を支柱４に取付けた際、差込片１２ａと差込片１２ｄとにより、支柱４における係止孔８ａと係止孔８ｂとの間が狭持されるので、抜け止め部材１２が支柱４に保持され、容易に外れることがない。
【００３０】
以上、本発明の実施例を図面により説明してきたが、具体的な構成はこれら実施例に限られるものではなく、本発明の要旨を逸脱しない範囲における変更や追加があっても本発明に含まれる。
【００３１】
例えば、本実施例における抜け止め部材１０、１２の前面１５ｅ、１６ｃに、天板７の後面１５ｆが当接するように天板７が載置されているが、抜け止め部材１０においては、差込片１０ａと屈曲片１０ｃとが、また、抜け止め部材１２においては、差込片１２ａ、１２ｄと、屈曲片１２ｃとが支柱４の一部を狭持して、容易には外れないようになっているので、天板７が、抜け止め部材１０、１２に対し、間隔を空けて載置されていても良い。
【００３２】
また、ブラケット１は、天板７を載置するための用途に限定されるものではなく、例えば、棚等を取付けることも可能である。
【００３３】
【発明の効果】
本発明は以下の効果を奏する。
【００３４】
（ａ）請求項１項の発明によれば、ブラケットを支柱に取付けた後に、係止孔の上部空隙に抜け止め部材の差込片を嵌入することで、ブラケットの上下移動が規制できるため、ブラケットに特殊な加工を施すことなしに、ブラケットの支柱からの抜け落ちを防止でき、また、前記空隙に嵌入された差込片と、支柱の側面に内側面を当接した屈曲片とにより、支柱の一部が狭持され、抜け止め部材が支柱に対して不動に固定されるため、ブラケットと抜け止め部材と支柱とが一体化する。
【００３５】
（ｂ）請求項２項の発明によれば、棚等の後面が抜け止め部材の基片の前面側に当接しているので、抜け止め部材が支柱から外れたり、前後にがたつくことがない。
【００３６】
（ｃ）請求項３項の発明によれば、支柱における２つの係止孔の間が上下の差込片により狭持されるので、抜け止め部材が支柱から容易に外れることがない。
【図面の簡単な説明】
【図１】本発明のブラケットの取付構造が適用された作業テーブルを示す外観図である。
【図２】図１におけるブラケットの取付箇所の分解図である。
【図３】図２において、ブラケットを支柱に取付けた際の横断面図である。
【図４】図２において、ブラケットを支柱に取付けた際の縦断面図である。
【図５】抜け止め部材の変形例を示す、ブラケットの取付箇所の分解図である。
【図６】図５において、ブラケットを支柱に取付けた際の縦断面図である。
【図７】従来のブラケットの取付構造を示す分解図である。
【図８】抜け止め効果を備えた従来のブラケットの取付構造を示す分解図である。
【符号の説明】
１            ブラケット
１ａ          取付片
１ｂ          垂直片
１ｃ          ねじ孔
２            作業テーブル
４            支柱
５            横杆
６ａ、６ｂ    脚
７            天板
７ａ          ねじ孔
８            係止孔
８ａ、８ｂ    係止孔
９、９ａ      係止爪
１０、１２    抜け止め部材
１０ａ        差込片
１０ｂ        基片
１０ｃ        屈曲片
１２ａ        差込片
１２ｂ        基片
１２ｃ        屈曲片
１２ｄ        差込片
１４          固定ねじ
１５ａ、１６ａ内側面
１５ｂ        外側面
１５ｃ、１６ｂ後面
１５ｄ        前面
１５ｅ、１６ｃ前面
１５ｆ        後面
１５ｇ        後端面
Ｓ            空隙
【図１】
0004363704.tif 000002
【図２】
0004363704.tif 000003
【図３】
0004363704.tif 000004
【図４】
0004363704.tif 000005
【図５】
0004363704.tif 000006
【図６】
0004363704.tif 000007
【図７】
0004363704.tif 000008
【図８】
0004363704.tif 000009
0004363704.tif 000010